(57)【要約】【課題】本発明の課題は、吹き流しの風速の直感的把握性を残しつつ、夜間視認可能性と遠隔監視性を備えることも可能とする風速・風向監視装置を提供することである。【解決手段】本発明による風速・風向監視装置では、長尺体に風向に正対するための垂直翼と風速の無い時の斜め状態から風速の増すにつれて水平状態になるための水平翼を備え、風向に応じて取付柱の回りに回転するために回転可能に取付柱に軸支された垂直軸回転軸支部と、これに回転可能に軸支された水平軸の周りに回転する水平軸回転軸支部を備えている。【選択図】図１
2014157041.tif 000002
【特許請求の範囲】
【請求項１】
風の向きを矢のように示すために長手に作られた長尺体と、無風時の斜めにぶら下がった状態から風速の増すにつれて水平状態になるための水平翼と、これに直角で前記風の向きに正対するための垂直翼と、取付柱と、前記風の向きに応じて取付柱の回りに回転するために回転可能に前記取付柱に軸支された垂直軸回転軸支部と、前記垂直軸回転軸支部に回転可能に軸支された水平軸の周りに回転する水平軸回転軸支部とを備えることで、前記長尺体が風に正対し風速により前記水平翼が受ける浮力に応じて傾斜した状態になることで、吹き流しのように直感的に風向と風速を視認可能にしたことを特徴とする風速・風向監視装置。
【請求項２】
前記長尺体の側面に長手方向に沿って発光手段を設けたことで夜間視認可能としたことを特徴とする請求項１記載の風速・風向監視装置。
【請求項３】
前記長尺体の側面の表裏に前記発光手段を設けたことを特徴とする請求項２記載の風速・風向監視装置。
【請求項４】
前記長尺体の先端のある側に、前記長尺体の水平からの傾斜状態に応じて危険表示を行う危険表示盤を備えたことを特徴とする請求項１から請求項３のいずれか１つに記載風速・風向監視装置。
【請求項５】
前記危険表示盤は、風の向きに応じて前記取付柱の回りに回転可能にしたことで前記長尺体の先端のある側に存在するようにしたことを特徴とする請求項１から請求項４のいずれか１つに記載風速・風向監視装置。
【請求項６】
前記長尺体の向きと水平からの傾斜角を検知するセンサーと無線通信手段を備えることで、
風向きと風速の遠隔監視を可能としたことを特徴とする請求項請求項１から請求項５のいずれか１つに記載風速・風向監視装置。
【発明の詳細な説明】
【技術分野】
【０００１】
本発明は、風の向きと風速を瞬時に視認するための吹き流しに代わる風向・風速監視具に関するものである。
【背景技術】
【０００２】
風向・風速監視具に要求される機能として、１）風の向きと大きさを一目で視認可能とする機能以外に、２）夜間でも視認できる  ３）その現場に行かないでも遠隔に認識可能４）風速の量的把握が可能などが必要とされ、図３に示すように、従来、多くの提案がなされている。特許文献１には３−Ａのように吹き流しの表面に適当な間隔で円周上にＬＥＤを配したもので、同様に特許文献２には３−Ｂに示すように吹き流しの表面に適当な間隔で長手方向にＬＥＤを配したものであり、２）の夜間視認を意図したものである。特許文献３には３−Ｃのように、柱に風速の値を付け、吹き流しの先端の位置により風速を数値で読み取るようにしたものである。４）の量的把握を意図している。特許文献４には３−Ｄのように吹き流しをカメラで画像監視して、その状態により風向きと風速値を遠隔に表示するものであり、３）と４）の機能を意図している。特許文献５の３−Ｅでは、吹き流しの代わりに風に正対する風車を用い、風向と風速を知って、強風注意などの文字表示をするものであり、４）を意図している。特許文献６の３−Ｆでは、同様に風に正対する風車を用い、風向と風速を知って、遠隔でレーダーチャート上に風速、風向を表示するものであり、３）と４）の機能を意図したものである。特許文献７の３−Ｇでは、同様に、風に正対する風車を用い、風向と風速を知って、遠隔で表示パネルに表示するものである。特許文献８の３−Ｈには、風に正対する風車を用い、風車の胴体に付けたＬＥＤを点灯するものであり、２）を意図したものである。３−Ａから３−Ｄでは、吹き流しそのものを用いている。
吹き流しは、その傾きで概略の風速を知ることが可能なので、直観的に安全かどうかが分かる利点があるが、どの程度が危険なのか理解していない者も多い欠点もある。又、夜間認識のためＬＥＤを配したものは、現場に行かないと分からないので遠隔監視を意図したものではない。３−Ｅから３−Ｈは、風車を利用しているので、風速の数値を得られるが、それを表示しないと直感的には把握できない。
【先行技術文献】
【特許文献】
【０００３】
【特許文献１】特開２００３−３４２９２１
【特許文献２】特開２００５−１３９７９５
【特許文献３】特開２００２−１５７６８７
【特許文献４】特開２００８−１１６３５９
【特許文献５】特開２０００−２１４２７０
【特許文献６】特開平１１−６１１２
【特許文献７】特開２０１２−１８９３
【特許文献８】特開平１０−２０６４５４
【発明の概要】
【発明が解決しようとする課題】
【０００４】
以上のような従来の提案に見る装置において、吹き流しの風速の直感的把握性を残しつつ、夜間視認可能性と遠隔監視性を備えることも可能とする風速・風向監視装置を提供することである。
【課題を解決するための手段】
【０００５】
本発明の風速・風向監視装置は、長尺体に風向に正対するための垂直翼と風速の無い時の斜め状態から風速の増すにつれて水平状態になるための水平翼を備え、風向に応じて取付柱の回りに回転するために回転可能に取付柱に軸支された垂直軸回転軸支部と、これに回転可能に軸支された水平軸の周りに回転する水平軸回転軸支部を備えることで、風に正対し、風速に応じて、水平翼が受ける浮力に対応して上下方向に稼働し傾斜した状態になることで、吹き流しのように直感的に風向と風速を視認可能にしたものにしたものである。
以下、請求項に沿って記述する。
【０００６】
請求項１記載の発明は、風速・風向監視装置風速・風向監視装置であって、
風の向きを矢のように示すために長手に作られた長尺体と、無風時の斜めにぶら下がった状態から風速の増すにつれて水平状態になるための水平翼と、これに直角で前記風の向きに正対するための垂直翼と、取付柱と、前記風の向きに応じて取付柱の回りに回転するために回転可能に前記取付柱に軸支された垂直軸回転軸支部と、前記垂直軸回転軸支部に回転可能に軸支された水平軸の周りに回転する水平軸回転軸支部とを備えることで、前記長尺体が風に正対し風速により前記水平翼が受ける浮力に応じて傾斜した状態になることで、吹き流しのように直感的に風向と風速を視認可能にしたことを特徴とする。
【０００７】
請求項２記載の発明は、請求項１記載の風速・風向監視装置において、
前記長尺体の側面に長手方向に沿って発光手段を設けたことで夜間視認可能としたことを特徴とする。
【０００８】
請求項３記載の発明は、請求項２記載の風速・風向監視装置において、
前記長尺体の側面の表裏に前記発光手段を設けたことを特徴とする。
【０００９】
請求項４記載の発明は、請求項１から請求項３のいずれか１つに記載風速・風向監視装置において、前記長尺体の先端のある側に、前記長尺体の水平からの傾斜状態に応じて危険表示を行う危険表示盤を備えたことを特徴とする。
【００１０】
請求項５記載の発明は、請求項１から請求項４のいずれか１つに記載風速・風向監視装置において、前記危険表示盤は、風の向きに応じて前記取付柱の回りに回転可能にしたことで前記長尺体の先端のある側に存在するようにしたことを特徴とする。
【００１１】
請求項６記載の発明は、請求項請求項１から請求項５のいずれか１つに記載風速・風向監視装置において、前記長尺体の向きと水平からの傾斜角を検知するセンサーと無線通信手段を備えることで、風向きと風速の遠隔監視を可能としたことを特徴とする。
【発明の効果】
【００１２】
以上の様に構成されているので、本発明による風速・風向監視装置は、
夜間の運転の安全を確保することが出来る。
【図面の簡単な説明】
【００１３】
【図１】本発明による風向・風速監視具の一実施態様を示す図である。
【図２】本発明による風向・風速監視具の他の実施態様を示す図である。
【図３】従来の風向・風速監視具の実施態様を示す図である。
【発明を実施するための形態】
【００１４】
長尺体に風向に正対するための垂直翼と風速の無い時の斜め状態から風速の増すにつれて水平状態になるための水平翼を備え、風向に応じて取付柱の回りに回転するために回転可能に取付柱に軸支された垂直軸回転軸支部と、これに回転可能に軸支された水平軸の周りに回転する水平軸回転軸支部を備えることで、風に正対し、風速に応じて、水平翼が受ける浮力に対応して上下方向に稼働し傾斜した状態になることで、吹き流しのように直感的に風向と風速を視認可能にしたものにしたものである。
以下図に沿って説明する。
【００１５】
図１は、本発明による風向・風速監視具の一実施態様を示す図である。
１−Ａにおいて、風の向きを矢のように示すために長手に作られた長尺体１０１である、板状体又は棒状が好ましい。長尺体１０１には、風速の無い時の斜めにぶら下がった状態から風速の増すにつれて水平状態になるための水平翼１０２が備えられている。更に水平翼１０２に直角に垂直翼１０３が備えて有る。取付柱１１０の回りに回転するために回転可能に軸支された垂直軸回転軸支部１１１があり、更に垂直軸回転軸支部１１１には、これに回転可能に軸支され、水平軸の周りに回転する水平軸回転軸支部１１２を備える。このため、垂直翼１０３により垂直軸回転軸支部１１１が回転し風向きに正対する。更に風速に対応して水平翼１０２が浮力を受けて水平軸回転軸支部１１２が回転し、風速に応じた傾きを示す。このようにして、吹き流しのように直感的に風向と風速を視認することが可能である。更に、長尺体１０１には、夜間に視認可能なように、発光手段１２０として発光体１２１（発光ダイオードが好ましい）が備えられ、これを風力発電機や太陽電池などの電源と制御部を備えた電源手段１３０により駆動することが好ましい。尚、発光手段１２０は、光源と反射体でも可能である。尚、長尺体１０１の側面の表裏に発光手段１２０を設けることで、両方向からも視認可能となる。
１−Ｂでは、水平軸回転軸支部１１２が垂直軸回転軸支部１１１の相対する二つの側面１１３で軸支するように二つのアーム１１４Ａ、１１４Ｂを設けて、長尺体１０１をアーム１１４Ａ、１１４Ｂで固定するようにしているため、風への垂直翼１０３の回転が取付柱１１０に対して対象にすることができる利点がある。その他は、１−Ａと同じである。
【００１６】
図２は、本発明による風向・風速監視具の他の実施態様を示す図である。
吹き流し角度は、風の速さを表すので、水平に近ければ車等が風を受けて横倒しになる危険性を直感的に表しているが、この量的に把握している人は少ない。図２では、長尺体１０１の先端が向く方向に危険表示盤２００を備えたものである。この例では、長尺体１０１の先端の向きに応じて「危険小」、「注意」、「危険」の領域を表示し、横倒れ危険防止の注意喚起を行っている。危険表示盤２００は、垂直軸回転軸支部１１１に長尺体１０１に平行に付設するのが望ましい。そうすると、垂直翼１０３の代わりもするので、これを省略することも可能である。尚、危険の表示内容は任意の表示を採用することができるのは当然である。
【００１７】
尚、風への正対角度と長尺体１０１の水平からの傾斜角度を検知するセンサーを備えて、風向と風速に対応する観測値を無線通信等で送付すれば、観測現場以外の場所でも観測できて、集中監視が可能となり、注意報等として流すなど応用も可能である。
【産業上の利用可能性】
【００１８】
以上のように本発明による風向・風速監視具では、簡単な構成で有りながら、吹き長しのように直感的に風向・風速を視認可能とし、更に発光手段を備えることで、夜間の視認も可能であり、センサ通信手段も備えれば遠隔監視も可能なので、産業上利用して効果が極めて大きい。
【符号の説明】
【００１９】
１０１  長尺体
１０２  水平翼
１０３  垂直翼
１１０  取付柱
１１１  垂直軸回転軸支部
１１２  水平軸回転軸支部
１１３  側面
１１４Ａ、１１４Ｂ  アーム
１２０  発光手段
１２１  発光体
１３０  電源手段
２００  危険表示盤
【図１】
2014157041.tif 000003
【図２】
2014157041.tif 000004
【図３】
2014157041.tif 000005